【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
スーパーコンティニューム発生用のテーパ形光ファイバであって、前記テーパ形光ファイバは、第１要素直径ｄｆを有しピッチΛで配置されている複数の第１タイプの要素を含むテーパ形微細構造光ファイバであり、
前記光ファイバの前後軸に沿って光を第１波長で導くように構成されたコア領域と、
前記コア領域を取り巻くクラッド領域と、
第１長手方向位置と第２長手方向位置の間に配置されたテーパ部分と
を備え、
前記テーパ部分は、前記光ファイバがテーパのウエストまで縮小テーパ化する第１長さＬ１を有する第１テーパ部分と、前記光ファイバが拡大テーパ化する第２長さＬ２を有する第２テーパ部分とを備え、
前記第１長さＬ１は約１ｍ超であり、
前記テーパ部分のウエストのコア領域は、約１５μｍ２未満など、約１２μｍ２未満など、約１０μｍ２未満など、約８μｍ２未満など、約６μｍ２未満など、約５μｍ２未満など、約４μｍ２未満など、約２０μｍ２未満である、テーパ形光ファイバ。
【請求項２】
Ｌ２＝ｙ・Ｌ１であり、
ｙは、約０．７未満など、約０．６未満など、約０．５未満など、約０．４未満など、約０．３未満など、約０．２５未満など、約０．２未満など、約０．１５未満など、約０．１未満など、約０．０５未満など、約０．８未満である、
請求項１に記載のテーパ形光ファイバ。
【請求項３】
前記コア領域は、前記第１長手方向位置における第１コア領域Ａ１から前記テーパのウエストにおけるウエストのコア領域Ａｗまでの前記第１テーパ部分にわたって縮小テーパ化され、
前記コア領域は、前記第２テーパ部分から前記第２長手方向位置における第２コア領域Ａ２わたって拡大テーパ化され、
前記ファイバはさらに、入力コア領域Ａｉｎを有する入力端および出力コア領域Ａｏｕｔを有する出力端を備え、
前記入力コア領域が前記第１コア領域と実質的に等しいことと、前記出力コア領域が前記第２コア領域と実質的に等しいこととの少なくとも一方である、
請求項１又は２に記載のテーパ形光ファイバ。
【請求項４】
前記テーパのウエストは、前記テーパ形光ファイバの前後軸に沿ってウエスト長Ｌｗにわたって延在するウエスト部分に含まれ、
前記ウエスト部分は、前記第１テーパ部分と前記第２テーパ部分の間に配置されており、
前記ウエスト部分にわたるフィーチャのいかなる変化も、前記テーパのウエストにおける前記フィーチャの最小値の、約１５％未満など、約１０％未満など、約８％未満など、約５％未満など、約２％未満など、約１％未満など、前記フィーチャが前記ウエスト部分の長さに沿って一定であるなど、約２５％未満であり、前記フィーチャは好適にはコア領域である、
請求項１乃至３のいずれか１項に記載のテーパ形光ファイバ。
【請求項５】
比ｄｆ／Λは、前記第１テーパ部分と前記第２テーパ部分とウエスト部分とのうちの少なくとも１つに沿って実質的に一定であり、
前記光ファイバの少なくともに一部分に沿った前記比ｄｆ／Λは、約０．４から約０．９の範囲内など、約０．５から約０．８の範囲内など、約０．３から約０．９５の範囲内にある、
請求項１乃至４のいずれか１項に記載のテーパ形光ファイバ。
【請求項６】
前記ウエスト部分のピッチと前記第１長手方向位置のピッチの間の比が約０．８未満など、約０．７未満など、約０．６未満など、約０．５未満など、約０．４未満など、約０．２未満など、約０．１未満など、約０．９未満であるように、前記縮小テーパ化は、前記ピッチを縮小する、
請求項１乃至５のいずれか１項に記載のテーパ形光ファイバ。
【請求項７】
前記ウエスト部分のウエスト長Ｌｗは、前記第２テーパ部分の長さＬ２よりも長い、
請求項１乃至６のいずれか１項に記載のテーパ形光ファイバ。
【請求項８】
前記第２長さＬ２は、約８ｍ未満など、約５ｍ未満など、約４ｍ未満など、約３ｍ未満など、約２ｍ未満など、約１．５ｍ未満など、約１ｍ未満など、約０．８ｍ未満など、約０．６ｍ未満など、約０．４ｍ未満など、約０．２ｍ未満など、約０．１ｍ未満など、約１０ｍ未満である、
請求項１乃至７のいずれか１項に記載のテーパ形光ファイバ。
【請求項９】
前記ウエスト長Ｌｗは、０．０１ｍ超など、０．１ｍ超など、約０．２ｍ超など、約０．３ｍ超など、約０．５ｍ超など、約１ｍ超など、約２ｍ超など、約５ｍ超など、約１０ｍ超など、約２０ｍ超など、約３５ｍ超など、約５０ｍ超など、約１００ｍ超など、約２００ｍ超など、約０．００１ｍ超である、
請求項１乃至８のいずれか１項に記載のテーパ形光ファイバ。
【請求項１０】
シリカガラス、カルコゲナイド・ガラス、軟質ガラス、及び高分子材料からなる群から選択された材料を含む、
請求項１乃至９のいずれか１項に記載のテーパ形光ファイバ。
【請求項１１】
スーパーコンティニューム光源を提供するべく、秒の範囲、ミリ秒範囲、マイクロ秒範囲、ナノ秒範囲、またはピコ秒範囲のｃｗ光または光パルスを放出するように構成されたポンプ源と組み合わせられた、
請求項１乃至１０のいずれか１項に記載のテーパ形光ファイバ。
【請求項１２】
少なくとも第１材料を備えるファイバプリフォームからテーパ形光ファイバを生成する方法であって、前記テーパ形光ファイバはテーパ形微細構造光ファイバであり、前記方法は、
前記ファイバプリフォームをプリフォーム保持具に固定することと、
キャプスタンと、前記ファイバプリフォームの少なくとも一部分を加熱するように構成された加熱装置とを備える線引タワーに、前記プリフォーム保持具を配置することと、
前記加熱装置の中で前記ファイバプリフォームの少なくとも一部分を加熱することと、
前記ファイバプリフォームを、前記加熱装置の中へ、或る送り速度で送ることと、
キャプスタンによって第１終端に引張り力を印加することによって、加熱された前記ファイバプリフォームの前記第１終端から前記光ファイバを或るライン速度で線引することと
を有し、
前記キャプスタンは、前記ライン速度が短い時間間隔中に第１ライン速度から第２ライン速度へと変化するように、加速または減速をもたらし、
前記第１ライン速度の前記第２ライン速度からの違いは、約１０％超である、方法。
【請求項１３】
より短い時間間隔中に線引される光ファイバの長さは、第１経路を辿るものから、前記第１経路と長さが異なる第２経路を辿るものへと置換され、該置換は、随意で、ライン速度変更装置に備わっている置換装置によって実現され、該置換装置は、前記より短い時間間隔にわたって加速または減速をもたらす、
請求項１２に記載の方法。
【請求項１４】
前記ファイバプリフォームは、少なくとも第１気孔を備え、
前記ファイバプリフォームの第２終端は、少なくとも前記第１気孔と少なくとも第１圧力コントローラとに流体連絡する実質的に気密の第１内腔を含むプリフォーム保持具内に配置され、
前記第１気孔は、前記テーパ形光ファイバを線引する工程の少なくとも一部分を通じて第１圧力に加圧される、
請求項１２又は１３に記載の方法。
【請求項１５】
前記ファイバプリフォームは、少なくとも気孔の第１群を備え、前記光ファイバは、前記気孔の第１群を加圧するための圧力制御システムを備える線引タワーシステムを用いて線引され、
前記圧力制御システムは、第１エンクロージャと、流路を介して前記第１エンクロージャを前記気孔の第１群に接続する流れシステムとを備え、
前記圧力制御システムは、前記第１エンクロージャに加圧するためのポンプを備え、
前記流れシステムは、第１期間Δｔ１以内で開くことできるオンオフ弁を備え、
前記方法は、弁が開かれたとき、前記第１エンクロージャを前記気孔の第１群に流体接触させる工程を備え、
Δｔ１は、約１０秒未満である、
請求項１２に記載の方法。